(57)【特許請求の範囲】
【請求項１】
ヒータ上に蓄熱材を積層し、空気を出し入れすることにより収縮膨張して該蓄熱材からの放熱量を制御する偏平袋状の放熱制御アクチュエータを同蓄熱材上に積層し、該放熱制御アクチュエータの上方に床面板を貼着してパネル化した蓄熱床暖房パネルであって、床面板と略同厚で偏平箱状のダクトケースを該床面板の端部に埋設し、同ダクトケースを放熱制御アクチュエータに接続して、該放熱制御アクチュエータに空気を送る送気経路を隣接設置される蓄熱床暖房パネル間では同ダクトケースの露出端面に形成した接続開口部同士が嵌合される構造とし、該接続開口部の開口を両側略対称に二分する片側の開口縁から外方へ接続片を突設し、該接続片が挿入嵌合される段状凹所を同接続開口部の反対側の内周に形成してなる蓄熱床暖房パネル。
【請求項２】
接続開口部を横長略長方形状として、接続片を縦断面略コ字型に形成したことを特徴とする請求項１記載の蓄熱床暖房パネル。
【請求項３】
縦断面略コ字型の接続片のコ字両端縁間を縦片部で連設させて、該縦片部を含めた同接続片全体を縦断面略ロ字型に形成したことを特徴とする請求項２記載の蓄熱床暖房パネル。
【請求項４】
縦片部に通気開口を形成したことを特徴とする請求項３記載の蓄熱床暖房パネル。
【請求項５】
長方形状の床面板の短辺側端部に該短辺全長にわたるダクトケースをヘッダーとして埋設し、該ヘッダーの両側端に接続開口部を配設形成して、隣接設置される蓄熱床暖房パネル間では同接続開口部同士が嵌合されて両側のヘッダーは送気経路として相互に連通接続される構造としたことを特徴とする請求項１〜４のいずれか一つに記載の蓄熱床暖房パネル。
【発明の詳細な説明】
【０００１】
【発明の属する技術分野】
本発明は、蓄熱した熱を制御して放熱することにより床暖房が行われる蓄熱床暖房パネルに関するものである。
【０００２】
【従来の技術】
従来から、図１４、１５に示す如く、蓄熱した熱を制御して放熱することにより床暖房が行われる蓄熱床暖房装置は知られている。該蓄熱床暖房装置では、図１４に示す如く、大引24上に合板28を貼り、該合板28上に同大引24と直交する複数本の根太25を敷設してあり、隣り合う同根太25間にヒータ１と蓄熱材２を敷設してある。そして、合板28の下面側には断熱材26を装着してあり、根太25間の適所にも断熱材26を介装してある。又、根太25間でヒータ１の端部と対応する位置に接続ボックス29を装着してあり、該接続ボックス29には同ヒータ１に給電する送り線30を接続してある。根太25の部分では、該根太25に穿設した貫通孔31に送り線30を挿通しており、これによって、同根太25間に設置したヒータ１の電気接続を行っている。
【０００３】
前記蓄熱材２上には、図１５に示す如く、空気を出し入れすることにより収縮膨張して同蓄熱材２からの放熱量を制御する偏平袋状の放熱制御アクチュエータ３を積層して、該放熱制御アクチュエータ３の上方に床面板４を貼着する。そして、根太25下に空気配管32を通し、該空気配管32と放熱制御アクチュエータ３とを接続して、各放熱制御アクチュエータ３に空気が供給されるようになすものである。したがって、この場合、空気配管32を通じ放熱制御アクチュエータ３に空気を出し入れしてこれを収縮膨張させることにより、蓄熱材２からの放熱量は制御され、該蓄熱材２上方の床面板４への伝熱量が変化調整されて、該床面板４上は適切な温度とされる。
【０００４】
【発明が解決しようとする課題】
しかしながら、上記従来の技術にあっては、施工現場において、ヒータ１及び蓄熱材２を敷設し、該蓄熱材２上に放熱制御アクチュエータ３を積層して、その上方に床面板４を貼着するものであり、施工が困難なものであった。しかも、空気配管32を根太25下にくぐらせて各放熱制御アクチュエータ３と接続しながら配管しており、その際、部屋の隅等の火打ち27の所では同空気配管32を通せなかったり、或いは、通し難い（火打ち27下をくぐらせなければならない）ものであって、同放熱制御アクチュエータへの配管接続が困難で、施工の信頼性を損なうという問題もあった。
【０００５】
本発明は、上記従来の技術における問題を悉く解決するために発明されたもので、その課題は、放熱制御アクチュエータへの配管接続が簡単で、全体としての施工も簡略化され、施工の信頼性を損なわない蓄熱床暖房パネルを提供することである。
【０００６】
【課題を解決するための手段】
本発明の請求項１記載の蓄熱床暖房パネルは、ヒータ上に蓄熱材を積層し、空気を出し入れすることにより収縮膨張して該蓄熱材からの放熱量を制御する偏平袋状の放熱制御アクチュエータを同蓄熱材上に積層し、該放熱制御アクチュエータの上方に床面板を貼着してパネル化した蓄熱床暖房パネルであって、床面板と略同厚で偏平箱状のダクトケースを該床面板の端部に埋設し、同ダクトケースを放熱制御アクチュエータに接続して、該放熱制御アクチュエータに空気を送る送気経路を隣接設置される蓄熱床暖房パネル間では同ダクトケースの露出端面に形成した接続開口部同士が嵌合される構造とし、該接続開口部の開口を両側略対称に二分する片側の開口縁から外方へ接続片を突設し、該接続片が挿入嵌合される段状凹所を同接続開口部の反対側の内周に形成してなる。
【０００７】
したがって、この場合、ヒータ、蓄熱材、放熱制御アクチュエータ、床面板等をパネル化したものであるため、一体物として容易に設置することができ、施工は簡略化される。又、上方に貼着される床面板の端部にこれと略同厚で偏平箱状のダクトケースが埋設され、該ダクトケースは放熱制御アクチュエータと接続されており、同ダクトケースの接続開口部同士を嵌合することで、各放熱制御アクチュエータへの配管接続が上方にて簡単に行われ、施工納まりにも支障を来さない。
【０００８】
しかも、前記接続開口部の開口を両側略対称に二分する片側の開口縁から外方へ接続片を突設し、該接続片が挿入嵌合される段状凹所を同接続開口部の反対側の内周に形成しているため、同接続開口部同士を嵌合する際に、両側の接続片が相互に係合し各々段状凹所に挿入嵌合されて、両接続開口部は位置決めされながらスムーズ且つ正確に嵌合接続される。それ故、確実な配管接続が容易に行われて、施工の信頼性は損なわれることがない。
【０００９】
本発明の請求項２記載の蓄熱床暖房パネルは、上記請求項１記載の蓄熱床暖房パネルにおいて、接続開口部を横長略長方形状として、接続片を縦断面略コ字型に形成したことを特徴としている。
【００１０】
したがって、この場合は特に、前記接続片を縦断面略コ字型に形成しているため、相対向する両側の同接続片間には空気の流通路が確保されて、放熱制御アクチュエータには所定量の空気が正確に供給され、該放熱制御アクチュエータによる制御精度は向上される。しかも、接続片が縦断面略コ字型であることで、位置決めし易くなり、接続強度も高くなる。
【００１１】
本発明の請求項３記載の蓄熱床暖房パネルは、上記請求項２記載の蓄熱床暖房パネルにおいて、縦断面略コ字型の接続片のコ字両端縁間を縦片部で連設させて、該縦片部を含めた同接続片全体を縦断面略ロ字型に形成したことを特徴としている。
【００１２】
したがって、この場合は特に、前記縦断面略コ字型の接続片のコ字両端縁間を縦片部で連設させて、該縦片部を含めた同接続片全体を縦断面略ロ字型に形成しているため、各接続片が縦片部で補強されて強固となり、相対向する両接続片は一方が他方の内側に入り込むように重なって係合されることはなく、不完全な接続状態が回避され、各接続片の破損も防止されて、接続強度はより高められ、配管接続の信頼性がより向上される。
【００１３】
本発明の請求項４記載の蓄熱床暖房パネルは、上記請求項３記載の蓄熱床暖房パネルにおいて、縦片部に通気開口を形成したことを特徴としている。
【００１４】
したがって、この場合は特に、前記縦片部に通気開口を形成しているため、接続開口部同士が嵌合された状態で、縦断面略ロ字型の両接続片の内部空間同士は同通気開口を介して連通され、同接続片間に確保される流通路内で空気が偏りなく流れて、放熱制御アクチュエータには同空気がスムーズに供給され、該放熱制御アクチュエータによる制御精度はより向上される。
【００１５】
本発明の請求項５記載の蓄熱床暖房パネルは、上記請求項１〜４のいずれか一つに記載の蓄熱床暖房パネルにおいて、長方形状の床面板の短辺側端部に該短辺全長にわたるダクトケースをヘッダーとして埋設し、該ヘッダーの両側端に接続開口部を配設形成して、隣接設置される蓄熱床暖房パネル間では同接続開口部同士が嵌合されて両側のヘッダーは送気経路として相互に連通接続される構造としたことを特徴としている。
【００１６】
したがって、この場合は特に、ダクトケースがヘッダーとして長方形状の床面板の短辺側端部に埋設され、該長方形状の床面板を横並びに設置して施工する際に、同ヘッダーとなるダクトケース間では接続開口部同士が嵌合されて両側のヘッダーは送気経路として相互に連通接続されるため、隣接設置される蓄熱床暖房パネル間で横送りする同送気経路が簡単に接続形成される。
【００１７】
【発明の実施の形態】
図１〜９は、本発明の請求項１〜５全てに対応する一実施形態を示し、該実施形態の蓄熱床暖房パネルＡは、図１〜３に示す如く、ヒータ１上に蓄熱材２を積層し、空気を出し入れすることにより収縮膨張して該蓄熱材２からの放熱量を制御する偏平袋状の放熱制御アクチュエータ３を同蓄熱材２上に積層し、該放熱制御アクチュエータ３の上方に床面板４を貼着してパネル化したものである。
【００１８】
この場合、床面板４と略同厚で偏平箱状のダクトケース５を該床面板４の端部に埋設し、同ダクトケース５を放熱制御アクチュエータ３に接続して、該放熱制御アクチュエータ３に空気を送る送気経路を隣接設置される蓄熱床暖房パネルＡ（図８、９参照）間では同ダクトケース５の露出端面に形成した接続開口部６同士が嵌合される構造としている。そして、図４、５に示す如く、接続開口部６の開口を両側略対称に二分する片側の開口縁から外方へ接続片７を突設し、該接続片７が挿入嵌合される段状凹所８を同接続開口部６の反対側の内周に形成している。
【００１９】
又、該実施形態の蓄熱床暖房パネルＡでは、前記接続開口部６を横長略長方形状として、接続片７を縦断面略コ字型に形成している。この場合には、縦断面略コ字型の接続片７のコ字両端縁間を縦片部９で連設させて、該縦片部９を含めた同接続片７全体を縦断面略ロ字型に形成しており、同縦片部９に通気開口10を形成してもいる。
【００２０】
更に、該実施形態の蓄熱床暖房パネルＡでは、長方形状の床面板４の短辺側端部に該短辺全長にわたるダクトケース５をヘッダーＨとして埋設し、該ヘッダーＨの両側端に接続開口部６を配設形成して、隣接設置される蓄熱床暖房パネルＡ（図８、９参照）間では同接続開口部６同士が嵌合されて両側のヘッダーＨは送気経路として相互に連通接続される構造としている。
【００２１】
該実施形態の蓄熱床暖房パネルＡは、図６、７に示す他の縦蓄熱床暖房パネルａと共に、図８に示す如く、床に並べ相互に接続して敷設されるものであり、これによって、蓄熱床暖房装置が施工される。蓄熱床暖房パネルＡ及び縦蓄熱床暖房パネルａはいずれも、ヒータ１、蓄熱材２、放熱制御アクチュエータ３、床面板４を組み合わせてパネル状に一体化したものである。
【００２２】
この場合、潜熱蓄熱材のような蓄熱材２は、蓄熱ボード11の充填空間内に充填してある。蓄熱ボード11は、偏平な矩形箱状で内部が充填空間となった箱体11ａの周縁に立ち上がり壁11ｂを設けると共に、該立ち上がり壁11ｂの上端に周縁の適所で取り付け片11ｃを水平に突設して、ポリプロピレンのような合成樹脂で一体に形成されている。蓄熱ボード11の箱体11ａの下面には、通電することにより発熱する面状のヒータ１が同下面の全体にわたって装着してある。ヒータ１を装着するに際しては、粘着材を介して貼着したり、その他の機械的方法で固定してある。
【００２３】
蓄熱ボード11の箱体11ａの上面上の立ち上がり壁11ｂで囲まれる部分には放熱制御アクチュエータ３を収納してあり、該放熱制御アクチュエータ３上にはアルミニウム箔12を積層してある。蓄熱ボード11の立ち上がり壁11ｂの上端上には該蓄熱ボード11の上面全体を覆うように合板のような床面板４を配置し、該床面板４に取り付け片11ｃをビス等で固定することにより、同蓄熱ボード11と床面板４とを一体化してある。
【００２４】
前記放熱制御アクチュエータ３は空気を出し入れすることにより収縮膨張する偏平な袋体でなり、該収縮膨張によって蓄熱材２から放熱される放熱量を制御するものである。放熱制御アクチュエータ３の原理は、本特許出願人が先に出願した特開平１１−３３７０９５号公報に開示される袋体と同様であるため、その詳しい説明は省略する。放熱制御アクチュエータ３は矩形状の上シートと下シートとを重ね、周縁部分をヒートシールすることにより袋状に形成されている。ここで、例えば、上シートは厚さ２５μｍのＰＥＴシート、下シートは厚さ３０μｍのＣＰＰシートである。
【００２５】
該実施形態の蓄熱床暖房パネルＡでは、放熱制御アクチュエータ３の一端上面にダクト接続用ジョイント13を設けてあり、同放熱制御アクチュエータ３の他端には縦送り用の雄型空気ジョイント14を設けてある。ダクト接続用ジョイント13はプラスチック成形品等でなり、ヘッダーＨとなるダクトケース５と接着等で接続される。雄型空気ジョイント14はポリプロピレンのようなプラスチック成形品でなり、放熱制御アクチュエータ３に熱融着等で取り付けられて、蓄熱ボード11の立ち上がり壁11ｂに挿通して外方へ突出させてある。
【００２６】
縦蓄熱床暖房パネルａでは、放熱制御アクチュエータ３の一端に縦送り用の雌型空気ジョイント15を設けてあり、同放熱制御アクチュエータ３の他端には縦送り用の雄型空気ジョイント14を設けてある。雌型空気ジョイント15はポリプロピレンのようなプラスチック成形品でなり、放熱制御アクチュエータ３に熱融着等で取り付けられている。ここで、雄型空気ジョイント14及び雌型空気ジョイント15は蓄熱ボード11の立ち上がり壁11ｂに挿通して外方へ突出させてあり、該雌型空気ジョイント15は同雄型空気ジョイント14に嵌め込み等で着脱自在に接続される。又、縦方向の末端に配置される縦蓄熱床暖房パネルａでは、雄型空気ジョイント14にエンドキャップ16を着脱自在に取り付けて同雄型空気ジョイント14を閉塞している。
【００２７】
又、床面板４の上面には電気配線用の凹部17が設けられるが、該凹部17には横接続用凹部17ａと縦接続用凹部17ｂとがある。横接続用となる該実施形態の蓄熱床暖房パネルＡでは、床面板４の一端に横接続用凹部17ａを穿設してあり、同床面板４の他端に縦接続用凹部17ｂを設けてある。この場合、横接続用凹部17ａの長手方向中央には横接続コネクター18が収納設置されており、該横接続コネクター18はヒータ１と接続されている。又、横接続用凹部17ａには横送り線19を収納するように挿通してあり、該横送り線19の端部が横接続コネクター18に接続されている。
【００２８】
前記横送り線19や横接続コネクター18が横接続用凹部17ａ内に収納された状態で、該横接続用凹部17ａの上面開口は横接続部用蓋20が着脱自在に被着されて閉塞される。又、前記縦接続用凹部17ｂには縦接続コネクター21が収納設置されており、該縦接続コネクター21には縦送り線22が接続される。そして、縦送り線22や縦接続コネクター21が縦接続用凹部17ｂ内に収納された状態で、該縦接続用凹部17ｂの上面開口は縦接続部用蓋23が着脱自在に被着されて閉塞される。
【００２９】
縦接続用となる縦蓄熱床暖房パネルａでは、床面板４の一端及び他端に縦接続用凹部17ｂを設けてある。この場合、一端の縦接続用凹部17ｂには縦送り線22が収納されており、該縦送り線22はヒータ１と接続されている。ここで、縦送り線22は引き出して隣接する縦接続コネクター21に接続するために、そのコード長さに余裕を設けてある。他端の縦接続用凹部17ｂには縦接続コネクター21が収納設置されており、該縦接続コネクター21はヒータ１と接続されている。そして、縦送り線22や縦接続コネクター21が収納された状態で、両端の各縦接続用凹部17ｂの上面開口は縦接続部用蓋23が着脱自在に被着されて閉塞される。
【００３０】
該実施形態の蓄熱床暖房パネルＡの一端には、放熱制御アクチュエータ３に空気を供給するためのヘッダーＨとなるダクトケース５を設けているが、該ダクトケース５は床面板４と略同厚で、長方形状の該床面板４の短辺側端部に埋設するよう同床面板４と一体化されている。ダクトケース５は偏平箱型で横長角筒状に合成樹脂にて一体に形成され、床面板４にリベット等で固定されている。又、ダクトケース５の両側端に開口する両接続開口部６には各々接続片７が一体に突設されており、この場合、両側の接続片７を相互に係合されるよう対称位置に配設している。
【００３１】
図４に示す如く、ダクトケース５の端部が開口した接続開口部６は横長略長方形状で、その片側略半分の範囲に縦断面略ロ字型の接続片７が一体に突設されている。接続片７は縦断面略コ字型の両端縁間が縦片部９で一体に連設されることで全体として縦断面略ロ字型となり、同縦片部９には円形状の通気開口10が形成されている。接続片７及び縦片部９の壁厚はダクトケース５の他の部位よりも薄くなっているが、縦断面略コ字型であることで変形し難い。又、接続開口部６の反対側略半分の範囲では、その内周面に接続片７の壁厚分だけ段落ちした段状凹所８が形成されている。
【００３２】
そして、図５に示す如く、隣接設置される蓄熱床暖房パネルＡ間で、ヘッダーＨとなる前記ダクトケース５の接続開口部６同士を嵌合接続することにより、横送りの送気経路が形成される。この場合、両側の接続片７は各々対向する段状凹所８に挿入嵌合されるのであるが、その際、縦片部９同士の摺接により両接続片７は相互に位置決めされて各々段状凹所８へとスムーズに挿入嵌合される。しかも、その際、接続片７が縦断面略コ字型であれば、両接続片７は一方が他方のコ字型内側に入り込むように重なって不完全な接続状態となり易く、該状態で無理に挿入しようとすると同接続片７は破損する恐れを生じるものであるが、縦片部９の存在により縦断面略ロ字型となる接続片７では、このようなことが防止されて接続強度は確保される。
【００３３】
次に、図８に示す蓄熱床暖房装置となるように施工する手順を、詳細に説明する。該実施形態の蓄熱床暖房パネルＡは横方向に複数枚並べて敷設され、各蓄熱床暖房パネルＡを親パネルとして縦方向に複数枚の縦蓄熱床暖房パネルａが並べて敷設される。建物の床には大引24上に該大引24と直交するよう複数の根太25が等間隔で架設されており、蓄熱床暖房パネルＡは各根太25間に嵌め込むように敷設される。蓄熱床暖房パネルＡを敷設した際、床面板４の端縁部分が根太25上に載設される。なお、大引24間には断熱材26を装填してある。
【００３４】
隣接する蓄熱床暖房パネルＡ間では、隣り合う横接続用凹部17ａが連通されて該横接続用凹部17ａに横送り線19を挿通して収納され、該横送り線19の端部は横接続コネクター18に接続され、同横接続用凹部17ａの上面開口に横接続部用蓋20が被着される。そして、隣接する蓄熱床暖房パネルＡ間で、隣り合うヘッダーＨとなるダクトケース５の両接続開口部６同士が、前記の如く、両接続片７を各々段状凹所８に挿入嵌合することで、相互に差し込み接続される。
【００３５】
又、蓄熱床暖房パネルＡと縦蓄熱床暖房パネルａとが隣接する部位や同縦蓄熱床暖房パネルａが縦方向に隣接する部位では、隣り合う縦接続用凹部17ｂ間で縦送り線22の端部が縦接続コネクター21に接続される。このように、縦送り線22と縦接続コネクター21とを接続して縦接続用凹部17ｂに収納した状態で、該縦接続用凹部17ｂの上面開口に縦接続部用蓋23が被着される。
【００３６】
そして、蓄熱床暖房パネルＡと縦蓄熱床暖房パネルａとが隣接する部位や同縦蓄熱床暖房パネルａが縦方向に隣接する部位では、雌型空気ジョイント15と雄型空気ジョイント14とが差し込み接続される。又、縦方向の末端に配置される縦蓄熱床暖房パネルａでは、雄型空気ジョイント14にエンドキャップ16を装着して該雄型空気ジョイント14を閉塞している。
【００３７】
前記の如く、該実施形態の蓄熱床暖房パネルＡ及び縦蓄熱床暖房パネルａは床に並べ相互に接続して敷設され、蓄熱床暖房装置となるように施工される。そして、蓄熱床暖房パネルＡや縦蓄熱床暖房パネルａでは、ヒータ１に給電され、放熱制御アクチュエータ３に空気が供給される。この場合、ヘッダーＨとなる各ダクトケース５を通じ各放熱制御アクチュエータ３に空気を出し入れしてこれを収縮膨張させることにより、蓄熱材２からの放熱量は制御され、該蓄熱材２上方の床面板４への伝熱量が変化調整されて、該床面板４上は適切な温度とされるものである。
【００３８】
したがって、該実施形態において、蓄熱床暖房パネルＡ及び縦蓄熱床暖房パネルａは、ヒータ１、蓄熱材２、放熱制御アクチュエータ３、床面板４等をパネル化したものであるため、一体物として容易に設置することができ、敷設施工は簡略化される。又、該実施形態の蓄熱床暖房パネルＡにおいては、上方に貼着される床面板４の端部にこれと略同厚で偏平箱状のダクトケース５が埋設され、該ダクトケース５は放熱制御アクチュエータ３と接続されており、同ダクトケース５の接続開口部６同士を嵌合することで、各放熱制御アクチュエータ３への配管接続が上方にて簡単に行われ、施工納まりも良好となる。
【００３９】
しかも、前記接続開口部６の開口を両側略対称に二分する片側の開口縁から外方へ接続片７を突設し、該接続片７が挿入嵌合される段状凹所８を同接続開口部６の反対側の内周に形成しているため、同接続開口部６同士を嵌合する際に、両側の接続片７が相互に係合し各々段状凹所８に挿入嵌合されて、両接続開口部６は位置決めされながらスムーズ且つ正確に嵌合接続される。それ故に、確実な配管接続が容易に行われて、施工の信頼性は損なわれることがない。
【００４０】
又、該実施形態の蓄熱床暖房パネルＡにおいては、前記接続片７を縦断面略コ字型に形成しているため、相対向する両側の同接続片７間には空気の流通路が確保されて、放熱制御アクチュエータ３には所定量の空気が正確に供給され、該放熱制御アクチュエータ３による制御精度は向上される。しかも、接続片７が角張った縦断面略コ字型であることで、段状凹部８に対して位置決めし易くなり、変形し難くなって接続強度も高められる。
【００４１】
しかも、この場合、前記縦断面略コ字型の接続片７のコ字両端縁間を縦片部９で連設させて、該縦片部９を含めた同接続片７全体を縦断面略ロ字型に形成しているため、各接続片７が縦片部９で補強されて強固となり、相対向する両接続片７は一方が他方の内側に入り込むように重なって係合されることはなく、不完全な接続状態が回避され、各接続片７の破損も防止されて、接続強度はより高められ、配管接続の信頼性がより向上される。
【００４２】
更に、この場合、前記縦片部９に通気開口10を形成しているため、接続開口部６同士が嵌合された状態で、縦断面略ロ字型の両接続片７の内部空間同士は同通気開口10を介し連通されて相互間で空気が行き来し、同接続片７間に確保される流通路内では空気が片側に偏ることなく流れて、放熱制御アクチュエータ３には同空気がスムーズに供給され、該放熱制御アクチュエータ３による制御精度はより向上される。
【００４３】
又、該実施形態の蓄熱床暖房パネルＡにおいては、ダクトケース５がヘッダーＨとして長方形状の床面板４の短辺側端部に埋設され、該長方形状の床面板４を横並びに設置して施工する際に、同ヘッダーＨとなるダクトケース５間では接続開口部６同士が嵌合されて両側のヘッダーＨは送気経路として相互に連通接続されるため、横方向に隣接設置される同蓄熱床暖房パネルＡ間で横送りする同送気経路が簡単に接続形成される。
【００４４】
図１０は、本発明の請求項１〜５全てに対応する別の実施形態を示し、該実施形態の蓄熱床暖房パネルＢでは、蓄熱ボード11の端縁より外方へ突出するダクトケース５（ヘッダーＨ）の下側面がＲ形状の湾曲面として形成されている。この場合、床面板４となる合板の厚み寸法Ｔが１２mmであるのでＲは１２mm以下とされ、ダクトケース５（ヘッダーＨ）の突出寸法Ｌが３mm以上となるのでＲは３mm以上とされる。ただし、ダクトケース５（ヘッダーＨ）の突出部分の下側面に指をかけたとき引っかからない程度のＲが必要で、該Ｒは５mm以上であることが望ましい。よって、ヘッダーＨ端面の前記Ｒ（円弧半径）は、例えば、５〜１０mm程度に設定される。
【００４５】
したがって、該実施形態の蓄熱床暖房パネルＢにおいては、ヘッダーＨの突出部分の下側面に指をかけようとしても、該下側面がＲ形状の湾曲面として形成されているため引っかからず、それ故、同ヘッダーＨに指を引っかけて持ち上げることはできないので、該ヘッダーＨと床面板４との結合固定部分における破損が防止される。なお、それ以外は、上記図１〜９で説明した実施形態と同様に構成され、同上記実施形態におけると同様の作用効果が奏される。
【００４６】
図１１は、本発明の請求項１、２、５に対応する更に別の実施形態を示し、該実施形態の蓄熱床暖房パネルＣにおいては、縦片部９が存在せず、接続片７は縦断面略コ字型のままである。なお、それ以外は、上記図１〜９で説明した実施形態と同様に構成され、請求項３、４に係る以外の作用効果が同上記実施形態におけると同様に奏される。
【００４７】
図１２は、本発明の請求項１〜５全てに対応する更に別の実施形態を示し、該実施形態の蓄熱床暖房パネルＤ（縦蓄熱床暖房パネルｄ）では、床面板４の下面側に横接続用凹部17ａや縦接続用凹部17ｂでなる凹部17を配設している。この場合、床面板４の側端縁付近で横接続用凹部17ａに横接続コネクター18を収容設置してあり、又、横送り線19のコード長さに余裕を設けてある。したがって、該実施形態の蓄熱床暖房パネルＤ（縦蓄熱床暖房パネルｄ）においては、床面板４の下面側に接続用の凹部17が設けられるため、電気接続の施工性は多少悪くなるものの、同凹部17の開口を蓋で閉塞する必要がなくなる。なお、それ以外は、上記図１〜９で説明した実施形態と同様に構成され、同上記実施形態におけると同様の作用効果が奏される。
【００４８】
図１３は、本発明の請求項１〜４に対応する更に別の実施形態を示し、該実施形態の蓄熱床暖房パネルＥでは、床面板４の一端両側に放熱制御アクチュエータ３と連通するダクトケース５が配設されていて、該ダクトケース５の接続開口部６同士を嵌合することにより、横送りする送気経路は接続形成されるもので、同床面板４の他端の端縁中央にも同放熱制御アクチュエータ３と連通するダクトケース５が設けられている。
【００４９】
そして、縦蓄熱床暖房パネルｅも本発明の実施形態となるもので、該縦蓄熱床暖房パネルｅでは、床面板４の両端の各端縁中央に放熱制御アクチュエータ３と連通するダクトケース５が配設されており、該ダクトケース５の接続開口部６同士を嵌合することによって、又、同ダクトケース５の接続開口部６と前記蓄熱床暖房パネルＥの他端に設けられるダクトケース５の接続開口部６とを嵌合することによって、縦送りする送気経路は接続形成されるものである。
【００５０】
したがって、該実施形態の蓄熱床暖房パネルＥ或いは縦蓄熱床暖房パネルｅにおいては、縦横いずれの方向に接続される場合でも、ダクトケース５の接続開口部６同士が同様に嵌合されるものであり、床面板４の短辺側端部には該短辺全長にわたるヘッダーＨが備わっていない。なお、それ以外は、上記図１〜９で説明した実施形態と同様に構成され、請求項５に係る以外の作用効果が同上記実施形態におけると同様に奏される。
【００５１】
【発明の効果】
上述の如く、本発明の請求項１記載の蓄熱床暖房パネルにおいては、一体物として容易に設置することができて施工は簡略化され、又、各放熱制御アクチュエータへの配管接続が上方にて簡単に行われ、施工納まりにも支障を来さず、しかも、ダクトケースの接続開口部同士を嵌合する際、両接続開口部は位置決めされながらスムーズ且つ正確に嵌合接続され、確実な配管接続が容易に行われて、施工の信頼性は損なわれることがない。
【００５２】
又、本発明の請求項２記載の蓄熱床暖房パネルにおいては、特に、相対向する両側の接続片間に空気の流通路が確保されて、放熱制御アクチュエータには所定量の空気が正確に供給され、該放熱制御アクチュエータによる制御精度は向上され、しかも、位置決めし易くなり、接続強度も高くなる。
【００５３】
又、本発明の請求項３記載の蓄熱床暖房パネルにおいては、特に、各接続片が縦片部で補強されて強固となり、相対向する両接続片は重なって係合されることはなく、不完全な接続状態が回避され、各接続片の破損も防止されて、接続強度はより高められ、配管接続の信頼性がより向上される。
【００５４】
又、本発明の請求項４記載の蓄熱床暖房パネルにおいては、特に、両接続片の内部空間同士が通気開口を介して連通され、同接続片間に確保される流通路内で空気は偏りなく流れて、各放熱制御アクチュエータに同空気はスムーズに供給され、同放熱制御アクチュエータによる制御精度がより向上される。
【００５５】
又、本発明の請求項５記載の蓄熱床暖房パネルにおいては、特に、横並びに設置して施工する際に、ヘッダーとなるダクトケース間で接続開口部同士が嵌合されて両側のヘッダーは送気経路として相互に連通接続され、隣接設置される蓄熱床暖房パネル間で横送りする同送気経路が簡単に接続形成される。
【図面の簡単な説明】
【図１】本発明の一実施形態である蓄熱床暖房パネルを示す分解斜視図。
【図２】同蓄熱床暖房パネルを示す斜視図。
【図３】同蓄熱床暖房パネルを示す縦断面図。
【図４】同蓄熱床暖房パネルを示す（ａ）は要部斜視図、（ｂ）は（ａ）におけるＸ矢視図。
【図５】同蓄熱床暖房パネルの接続状態を示す要部平面図。
【図６】同蓄熱床暖房パネルと縦並びに設置接続される他の縦蓄熱床暖房パネルを示す分解斜視図。
【図７】同縦蓄熱床暖房パネルを示す斜視図。
【図８】同蓄熱床暖房パネル及び縦蓄熱床暖房パネルが設置施工された状態を示す斜視図。
【図９】同蓄熱床暖房パネルの設置状態を示す（ａ）は概略平面図、（ｂ）は概略縦断面図。
【図１０】別の実施形態である蓄熱床暖房パネルを示す（ａ）は要部側面図、（ｂ）は反対側からみた要部側面図。
【図１１】更に別の実施形態である蓄熱床暖房パネルを示す（ａ）は要部斜視図、（ｂ）は（ａ）におけるＹ矢視図。
【図１２】更に別の実施形態である蓄熱床暖房パネルの床面板を示す斜め下方からみた斜視図。
【図１３】更に別の実施形態である蓄熱床暖房パネルを示す斜視図。
【図１４】従来例である蓄熱床暖房装置を示す要部斜視図。
【図１５】同蓄熱床暖房装置を示す（ａ）は概略平面図、（ｂ）は概略縦断面図。
【符号の説明】
１  ヒータ
２  蓄熱材
３  放熱制御アクチュエータ
４  床面板
５  ダクトケース（ヘッダーＨ）
６  接続開口部
７  接続片
８  段状凹所
９  縦片部
10  通気開口
【図１】
0003642296.tif 000002
【図２】
0003642296.tif 000003
【図３】
0003642296.tif 000004
【図４】
0003642296.tif 000005
【図５】
0003642296.tif 000006
【図６】
0003642296.tif 000007
【図７】
0003642296.tif 000008
【図８】
0003642296.tif 000009
【図９】
0003642296.tif 000010
【図１０】
0003642296.tif 000011
【図１１】
0003642296.tif 000012
【図１２】
0003642296.tif 000013
【図１３】
0003642296.tif 000014
【図１４】
0003642296.tif 000015
【図１５】
0003642296.tif 000016